(57)【要約】      （修正有）【課題】殺菌性に優れるとともに、吸水性および保水性を有するマスクおよびおむつおよび生理用品を提供する。【解決手段】竹を原料とした繊維を重量比にして略５０％以上含有する２０ｇｆ／ｍ２ないし１００ｇｆ／ｍ２の不織布を既製を含めたマスク１およびおむつおよび生理用品の直接肌に接触する表層１３とする構成とした。マスク１およびおむつおよび生理用品は積層の布地で形成され、下層１１は合成繊維からなる不織布であり、表層１３は下層１１と同形で一回り大きく形成されるとともに表層１３は下層１１の端縁部で折り返されて、その折り返し部１５が下層１１に超音波で溶着される。【選択図】図１
0003230369.tif 000002
【実用新案登録請求の範囲】
【請求項１】
竹を原料とした繊維を重量比にして略５０％以上含有する竹繊維の不織布を既製を含めたマスクおよびおむつおよび生理用品の直接肌に接触する表層に使用する、ことを特徴とする竹繊維の不織布を使用したマスクおよびおむつおよび生理用品。
【請求項２】
前記竹繊維の不織布の重量は２０ｇｆ／ｍ２ないし１００ｇｆ／ｍ２であって好ましくは３０ｇｆ／ｍ２ないし６０ｇｆ／ｍ２である、ことを特徴とする請求項１に記載の竹繊維の不織布を使用したマスクおよびおむつおよび生理用品。
【請求項３】
前記マスクおよびおむつおよび生理用品は積層の布地で形成され、下層は合成繊維からなる不織布であり、前記表層は該下層と同形で一回り大きく形成されるとともに該表層は該下層の端縁部で折り返されてその折り返し部が該下層に超音波で溶着される、ことを特徴とする請求項１または請求項２に記載の竹繊維の不織布を使用したマスクおよびおむつおよび生理用品。
【考案の詳細な説明】
【技術分野】
【０００１】
本考案はマスクおよびおむつおよび生理用品（以下、本明細書では「生理用品等」ともいう。）に関し、さらに詳しくは竹繊維を含有する不織布を使用した生理用品等に関する。
【背景技術】
【０００２】
従来から長時間のおむつや生理用品の使用により肌荒れで悩む人々に加え、コロナ禍にあってマスクの着用が必須となり、長時間のマスク着用により口周りが肌荒れとなる人々が増加している。
【０００３】
肌荒れを防止する生理用品としては、例えば特許文献１に開示されている発明がある。特許文献１に開示の発明は、発明の名称「生理用ナプキン用付加トップシート」に係り、「経血などによる肌荒れの防止又は治療が可能な生理用ナプキン、既存の生理用ナプキンのトップシートの表面に載せて使用して、体液による肌荒れの防止又は治療が可能な新規な生理用ナプキン用付加トップシートを提供する」ことを課題としていて、その解決手段を「生理用ナプキンは、トップシートに加水分解卵殻膜を担持させた。生理用ナプキン用付加トップシートは、液透過性のシート状支持体に加水分解卵殻膜を担持させてなる」としている。
【０００４】
一方で、本願出願人は発明の名称を「殺菌竹繊維ガーゼ及びその製造方法と応用」とする技術を特許文献２に開示している。この発明は「殺菌竹繊維ガーゼ及びその製造方法と応用。該殺菌竹繊維ガーゼは竹繊維ガーゼの中に殺菌原液を浸すことにより製造されること、その中の殺菌原液には０．００１−１％の溶解ブドウ球菌酵素と従来医薬品の原料として認可されておる担体を含有すること」を課題として、その解決手段を「該殺菌竹繊維ガーゼは臨床上でよく見かける細菌菌種に対する優れた殺菌効果を持つほか、最も重要なのは創傷面では癒着しないため、ガーゼを取り替えるとき患者には苦痛を与えないことである。該殺菌竹繊維ガーゼは創傷面傷当て材、ベビー及び大人用紙オムツ、ナプキン、マスクとして他、衛生材料全般に活用できるものであり、竹繊維ガーゼは織物や編物のみならず、不織布としても作ることができる」としている。
【先行技術文献】
【特許文献】
【０００５】
【特許文献１】特開２００６-３２６０１８号公報
【特許文献２】特開２００６-０４３３７０号公報
【考案の概要】
【考案が解決しようとする課題】
【０００６】
しかしながら、特許文献１の生理用品は「シート状支持体」に対して所定の処理工程が必要であり、経済的な負担を要する。
【０００７】
そこで、出願人は特許文献２の「殺菌竹繊維ガーゼ」を応用して、殺菌性に優れ、吸水性および保水性を有するマスクおよび生理用品を提供することを課題とする。
【課題を解決するための手段】
【０００８】
上記課題を達成するために、本願請求項１に係る竹繊維の不織布を使用したマスクおよびおむつおよび生理用品は、竹を原料とした繊維を重量比にして略５０％以上含有する竹繊維の不織布を既製を含めたマスクおよびおむつおよび生理用品の直接肌に接触する表層に取着する、ことを特徴としている。
また、本願請求項２に係る竹繊維の不織布を使用したマスクおよびおむつおよび生理用品は、請求項１に記載の竹繊維の不織布を使用したマスクおよびおむつおよび生理用品であり、前記竹繊維の不織布の重量は２０ｇｆ／ｍ２ないし１００ｇｆ／ｍ２であって好ましくは３０ｇｆ／ｍ２ないし６０ｇｆ／ｍ２である、ことを特徴としている。
そして、本願請求項３に係る竹繊維の不織布を使用したマスクおよびおむつおよび生理用品は、請求項１に記載の竹繊維の不織布を使用したマスクおよびおむつおよび生理用品であって、前記マスクやおむつおよび生理用品は積層の布地で形成され、下層は合成繊維からなる不織布であり、前記表層は該下層と同形で一回り大きく形成されるとともに該表層は該下層の端縁部で折り返されてその折り返し部が該下層に超音波で溶着される、ことを特徴としている。
【考案の効果】
【０００９】
上記の構成により本願考案は以下の効果を奏する。
（１）本願考案に係る生理用品等は、竹を原料とした繊維を重量比にして略５０％以上含有する不織布を表層に取着しているため、竹繊維本来の効果である殺菌性を有すると共に、吸水性および保水性を有する。そのため、長時間の着用による肌荒れを防ぐと共に、既に肌荒れしている場合であっても殺菌効果によりその悪化を防ぎ、治癒効果も期待できる。
（２）竹繊維の不織布の重量を好ましくは３０ｇｆ／ｍ２ないし６０ｇｆ／ｍ２とすることにより、竹繊維の不織布が有する効果を発揮することができる。
（３）竹繊維の不織布を既製の生理用品等の直接肌に接触する表層に使用すれば、上記（１）及び（２）の効果を得ることができ、既製のマスクおよび生理用品の効果が向上する。また、表層を下層と同形で一回り大きく形成して端縁部で折り返し、その折り返し部を下層に超音波で溶着することにより、装着しても使用時の違和感が生じない。
【図面の簡単な説明】
【００１０】
【図１】図１は、実施例に係る竹繊維の不織布を既製のマスクに取着した状態の断面模式図である。
【考案を実施するための形態】
【００１１】
本発明を実施するための形態に係る実施例についてマスクを例にして、図１を参照して説明するが、おむつおよび生理用品についても略同様である。なお、図１において、符号１は実施例に係る竹繊維の不織布を表層とした既製のマスク、符号１１は既製マスクの下層、符号１３は竹繊維の不織布（表層）、符号１５は表層の折り返し部、である。
【００１２】
実施例に係る竹繊維の不織布を表層とした既製のマスク１は、既製のマスクの本体（下層）１１に竹繊維の不織布１３を重ね合わせて積層としたものであり、竹繊維の不織布１３は既製のマスクの本体１１よりも大きく裁断され、その端部が折り返されて、表層の折り返し部１５が形成されている。
【００１３】
既製のマスクの本体１１は３層から形成されていて、表層側から順に高機能フタンアニンで着色加工された不織布、メルトブローン不織布そしてポリプロピレン不織布であり、表層には、重量が６０ｇｆ／ｍ２の竹繊維の不織布が使用されている。この構成により既製のマスク本来の飛沫遮断および飛沫防止の機能に加えて、さらに、殺菌性に優れ、吸水性および保水性を有するマスクが提供される。なお、図１の上面が直接肌に接触する表面となる。
【図１】
0003230369.tif 000003
【手続補正書】
【提出日】令和2年11月10日(2020.11.10)
【手続補正１】
【補正対象書類名】実用新案登録請求の範囲
【補正対象項目名】全文
【補正方法】変更
【補正の内容】
【実用新案登録請求の範囲】
【請求項１】
竹を原料とした繊維を重量比にして略５０％以上含有する竹繊維の不織布が既製を含めたマスクおよびおむつおよび生理用品の直接肌に接触する側に表層として重ね合わされた、ことを特徴とする竹繊維の不織布を表層としたマスクおよびおむつおよび生理用品。
【請求項２】
前記竹繊維の不織布の重量は２０ｇｆ／ｍ２ないし１００ｇｆ／ｍ２であって好ましくは３０ｇｆ／ｍ２ないし６０ｇｆ／ｍ２である、ことを特徴とする請求項１に記載の竹繊維の不織布を表層としたマスクおよびおむつおよび生理用品。
【請求項３】
前記マスクおよびおむつおよび生理用品は積層の布地で形成され、下層は合成繊維からなる不織布であり、前記表層は該下層と同形で一回り大きく形成されるとともに該表層は該下層の端縁部で折り返されてその折り返し部が該下層に超音波で溶着される、ことを特徴とする請求項１または請求項２に記載の竹繊維の不織布を表層としたマスクおよびおむつおよび生理用品。
【手続補正３】
【補正対象書類名】明細書
【補正対象項目名】０００８
【補正方法】変更
【補正の内容】
【０００８】
上記課題を達成するために、本願請求項１に係る竹繊維の不織布を表層としたマスクおよびおむつおよび生理用品は、竹を原料とした繊維を重量比にして略５０％以上含有する竹繊維の不織布が既製を含めたマスクおよびおむつおよび生理用品の直接肌に接触する側に表層として重ね合わされた、ことを特徴としている。
また、本願請求項２に係る竹繊維の不織布を表層としたマスクおよびおむつおよび生理用品は、請求項１に記載の竹繊維の不織布を表層としたマスクおよびおむつおよび生理用品であり、前記竹繊維の不織布の重量は２０ｇｆ／ｍ２ないし１００ｇｆ／ｍ２であって好ましくは３０ｇｆ／ｍ２ないし６０ｇｆ／ｍ２である、ことを特徴としている。
そして、本願請求項３に係る竹繊維の不織布を表層としたマスクおよびおむつおよび生理用品は、請求項１または請求項２に記載の竹繊維の不織布を表層としたマスクおよびおむつおよび生理用品であって、前記マスクおよびおむつおよび生理用品は積層の布地で形成され、下層は合成繊維からなる不織布であり、前記表層は該下層と同形で一回り大きく形成されるとともに該表層は該下層の端縁部で折り返されてその折り返し部が該下層に超音波で溶着される、ことを特徴としている。